(57)【特許請求の範囲】
【請求項１】
室内空気を循環させる送風機と、前記送風機が循環させる空気との間で熱交換を行う熱交換器と、前記熱交換器を通過した空気の吹き出し方向を上下方向に変更可能なルーバーと、室内の湿度を測定する湿度センサーを備え、除湿運転及び衣類乾燥モードでの運転が可能な空気調和機において、
制御部が以下のステップを実行することを特徴とする空気調和機：
（ａ）衣類乾燥モードでの運転開始時、使用者による前記ルーバーの上下方向の角度変更を確認するステップ
（ｂ）送風運転するステップ
（ｃ）室内湿度が第１所定湿度に達したことを湿度センサーが検知したかどうかを調べるステップ
（ｄ）室内湿度が前記第１所定湿度に達したとき、空気の吹出方向を上方に偏らせるように前記ルーバーの角度を変更し、除湿運転に切り替えるステップ
（ｅ）室内湿度が第２所定湿度まで下がったことを前記湿度センサーが検知したかどうかを調べるステップ
（ｆ）室内湿度が前記第２所定湿度まで下がった後、第１所定時間が経過するまで除湿運転を継続し、その後運転を終了するステップ。
【請求項２】
前記制御部は、前記ステップ（ａ）で使用者による前記ルーバーの角度変更を確認できなかったときは、前記（ｂ）のステップに続いて以下のステップを実行し、その後前記（ｃ）のステップに進むことを特徴とする請求項１に記載の空気調和機：
（ｇ）衣類乾燥モードでの運転開始後、第２所定時間内に、室内湿度が前記第１所定湿度より低い第３所定湿度に達したことを前記湿度センサーが検知したかどうか調べるステップ
（ｈ）前記第２所定時間内に室内湿度が前記第３所定湿度に達しなかったとき、空気の吹出方向を下方に偏らせるように前記ルーバーの角度を変更するステップ。
【請求項３】
前記制御部は、前記ステップ（ｃ）で室内湿度が前記第１所定湿度に達しなかったとき、前記（ｄ）のステップに代えて以下のステップを実行し、その後前記（ｅ）のステップに進むことを特徴とする請求項１または２に記載の空気調和機：
（ｉ）送風運転を第３所定時間継続するステップ
（ｊ）空気の吹出方向を上方に偏らせるように前記ルーバーの角度を変更し、除湿運転に切り替えるステップ。
【請求項４】
前記制御部は、前記（ｅ）のステップで室内湿度が前記第２所定湿度まで下がったことを前記湿度センサーが検知しなかったときは、前記（ｆ）のステップに代え、以下のステップを実行することを特徴とする請求項３に記載の空気調和機：
（ｋ）除湿運転開始以来の除湿運転累計時間が第４所定時間に達するまで除湿運転を継続し、その後運転を終了するステップ。
【請求項５】
衣類乾燥モードにおける送風運転は、前記送風機の回転数を高めて行われることを特徴とする請求項１から４のいずれか１項に記載の空気調和機。
【請求項６】
吹き出す空気中に荷電粒子を放出する荷電粒子発生装置が搭載されていることを特徴とする請求項１から５のいずれか１項に記載の空気調和機。
【請求項７】
前記制御部は、前記荷電粒子発生装置が荷電粒子を発生している時、空気の吹出方向を上方に偏らせる設定となっているときは、時々前記ルーバーの角度を変えて空気の吹出方向を下方に偏らせる制御を行うことを特徴とする請求項６に記載の空気調和機。
【発明の詳細な説明】
【技術分野】
【０００１】
本発明は空気調和機に関する。
【背景技術】
【０００２】
家屋用の空気調和機の中には、室内に干された衣類を乾燥させる衣類乾燥モードを備えたものがある。その例を特許文献１、２に見ることができる。
【０００３】
特許文献１に記載された空気調和機では、冷房運転モードまたは送風運転モードで室内に干した衣類の乾燥を行う。冷房運転モードでは、吹出温度が低く相対湿度が高いため、風を直接衣類に当てても除湿効果を期待できないことから、風向をほぼ水平にする。送風運転モードでは、風向を斜め下向きの所定範囲においてスイング制御する。
【０００４】
特許文献２に記載された空気調和機は、衣類の配置を検知する衣類配置検知センサーと、風向を左右または上下に可変する風向可変部を備えている。衣類配置検知センサーにより検知した衣類の左右端または上下端の範囲に風向可変部を揺動する。
【先行技術文献】
【特許文献】
【０００５】
【特許文献１】特開２００４−２７９０２７号公報
【特許文献２】特開２００９−２８７８１３号公報
【発明の概要】
【発明が解決しようとする課題】
【０００６】
衣類乾燥モードを備えた空気調和機で衣類乾燥を行う場合、衣類に風が当たるように、ルーバーを下向き加減にすることが望ましい。風向調整ボタン付きのリモートコントローラー（本明細書では以下「リモコン」と略称する）が付属しているときは、使用者自身がリモコンを操作してルーバーの向きを調整することとされている場合が多い。
【０００７】
衣類乾燥モードを選択した場合、衣類乾燥モードの運転が一定時間継続される。乾燥すべき衣類の量が多ければ初期設定では時間不足、乾燥すべき衣類の量が少なければ初期設定では時間過剰ということになるので、使用者が時間を調整しなければならない。
【０００８】
本発明は上記の点に鑑みなされたものであり、極力使用者の手を煩わすことなく、効率的な衣類乾燥を行うことができる空気調和機を提供することを目的とする。
【課題を解決するための手段】
【０００９】
本発明に係る空気調和機は、室内空気を循環させる送風機と、前記送風機が循環させる空気との間で熱交換を行う熱交換器と、前記熱交換器を通過した空気の吹き出し方向を上下方向に変更可能なルーバーと、室内の湿度を測定する湿度センサーを備え、除湿運転及び衣類乾燥モードでの運転が可能であり、制御部が以下のステップを実行する：
（ａ）衣類乾燥モードでの運転開始時、使用者による前記ルーバーの上下方向の角度変更を確認するステップ
（ｂ）送風運転するステップ
（ｃ）室内湿度が第１所定湿度に達したことを湿度センサーが検知したかどうかを調べるステップ
（ｄ）室内湿度が前記第１所定湿度に達したとき、空気の吹出方向を上方に偏らせるように前記ルーバーの角度を変更し、除湿運転に切り替えるステップ
（ｅ）室内湿度が第２所定湿度まで下がったことを前記湿度センサーが検知したかどうかを調べるステップ
（ｆ）室内湿度が前記第２所定湿度まで下がった後、第１所定時間が経過するまで除湿運転を継続し、その後運転を終了するステップ。
【００１０】
上記構成の空気調和機において、前記制御部は、前記ステップ（ａ）で使用者による前記ルーバーの角度変更を確認できなかったときは、前記（ｂ）のステップに続いて以下のステップを実行し、その後前記（ｃ）のステップに進むことが好ましい：
（ｇ）衣類乾燥モードでの運転開始後、第２所定時間内に、室内湿度が前記第１所定湿度より低い第３所定湿度に達したことを前記湿度センサーが検知したかどうか調べるステップ
（ｈ）前記第２所定時間内に室内湿度が前記第３所定湿度に達しなかったとき、空気の吹出方向を下方に偏らせるように前記ルーバーの角度を変更するステップ。
【００１１】
上記構成の空気調和機において、前記制御部は、前記ステップ（ｃ）で室内湿度が前記第１所定湿度に達しなかったとき、前記（ｄ）のステップに代えて以下のステップを実行し、その後前記（ｅ）のステップに進むことが好ましい：
（ｉ）送風運転を第３所定時間継続するステップ
（ｊ）空気の吹出方向を上方に偏らせるように前記ルーバーの角度を変更し、除湿運転に切り替えるステップ。
【００１２】
上記構成の空気調和機において、前記制御部は、前記（ｅ）のステップで室内湿度が前記第２所定湿度まで下がったことを前記湿度センサーが検知しなかったときは、前記（ｆ）のステップに代え、以下のステップを実行することが好ましい：
（ｋ）除湿運転開始以来の除湿運転累計時間が第４所定時間に達するまで除湿運転を継続し、その後運転を終了するステップ。
【００１３】
上記構成の空気調和機において、衣類乾燥モードにおける送風運転は、前記送風機の回転数を高めて行われることが好ましい。
【００１４】
上記構成の空気調和機において、吹き出す空気中に荷電粒子を放出する荷電粒子発生装置が搭載されていることが好ましい。
【００１５】
上記構成の空気調和機において、前記制御部は、前記荷電粒子発生装置が荷電粒子を発生している時、空気の吹出方向を上方に偏らせる設定となっているときは、時々前記ルーバーの角度を変えて空気の吹出方向を下方に偏らせる制御を行うことが好ましい。
【発明の効果】
【００１６】
空気調和機の制御部は、衣類乾燥モードでの運転時、使用者によるルーバーの上下方向の角度変更を確認して送風運転を行うから、より確実に風が衣類に当たる状態で衣類乾燥を行うことができる。そして送風運転の結果室内湿度が第１所定湿度に達したときは、湿度の高い風を衣類に当て続けても乾燥の進展を期待できないことから、空気の吹出方向を上方に偏らせるようにルーバーの角度を変更し、除湿運転に切り替えるものであり、最適なタイミングで送風運転から除湿運転に移行できる。さらに、除湿運転により室内湿度が第２所定湿度まで下がったことを湿度センサーで検知した後、第１所定時間が経過するまで除湿運転を継続するから、衣類をより確実に乾燥させることができる。
【図面の簡単な説明】
【００１７】
【図１】空気調和機の室内機の構成を示す概略断面図である。
【図２】室内に干した衣類を空気調和機で乾燥させる状況の説明図である。
【図３】空気調和機のリモコンの正面図である。
【図４】図３のリモコンにおいて、操作部の蓋を開き、隠れていた操作ボタンを露出させた状態の正面図である。
【図５】衣類乾燥モードで運転を行う場合のフローチャートである。
【発明を実施するための形態】
【００１８】
図１に示すのはセパレート型空気調和機の室内機である。室内機１は、合成樹脂製の筐体１０の内部に、熱交換器１１と送風機１２を収容している。送風機１２は室内空気を循環させ、熱交換器１１は送風機１２が循環させる空気との間で熱交換を行う。
【００１９】
送風機１２は、水平に配置されたクロスフローファンと、これを回転させる電動機により構成される。熱交換器１１には室外機に収容された圧縮機（図示せず）より冷媒が送り込まれる。熱交換器１１は３個の熱交換器を組み合わせて構成され、送風機１２のクロスフローファンを屋根のように覆っている。
【００２０】
筐体１０の前面上部から天面にかけて、多数のスリットからなる吸込口１３が形成されている。筐体１０の前面下部には吹出口１４が形成される。送風機１２と吹出口１４の間には通風路１５が形成される。
【００２１】
熱交換器１１の風上側にはフィルター１６が配置される。フィルター１６は熱交換器１１の前面から上面にかけての領域を覆い、吸い込まれる室内空気に含まれる塵埃を捕集する。
【００２２】
吹出口１４には左右の吹出方向を調整する左右ルーバー１７と、上下の吹出方向を調整する上下ルーバー１８が配置される。左右ルーバー１７と上下ルーバー１８はいずれも電動式であって、後述するリモコンで向きの調整がなされる。
【００２３】
筐体１０の内部には、熱交換器１１の風上側の位置に湿度センサー１９が配置される。通風路１５には、吹出口１４から吹き出される空気中に荷電粒子を放出する荷電粒子発生装置が配置される。本実施形態では、荷電粒子発生装置の一種であるイオン発生装置２０が配置されている。所定の電圧を印加することにより、イオン発生装置２０はプラズマ放電でイオンを発生する。イオン発生装置２０は正イオンＨ＋（Ｈ２Ｏ）ｍ（ｍは任意の自然数）と負イオンＯ２-（Ｈ２Ｏ）ｎ（ｎは任意の自然数）を同時に生成することができる。
【００２４】
荷電粒子発生装置としては、イオンでなく、荷電した微細水滴を発生させるものを用いることもできる。
【００２５】
筐体１０は制御部２１を収容する。制御部２１は、室内機１のみならず、図示しない室外機を含めた空気調和機全体を制御する。
【００２６】
空気調和機の操作は、図３及び図４に示すリモコン３０によって行う。リモコン３０は手で握れる細長い筐体３１を有する。以下の説明では、図３及び図４で上になっている側を「上」、下になっている側を「下」、左になっている側を「左」、右になっている側を「右」と方位を割り当てるものとする。
【００２７】
筐体３１の表面は、上部が表示部３２、下部が操作部３３と区分されている。表示部３２は上下に長い矩形を呈しており、液晶パネルなどの表示要素と、それを覆う保護レンズにより構成される。
【００２８】
操作部３３には、蓋３４で覆われる部分と、蓋３４で覆われない部分がある。蓋３４はヒンジ部３５で筐体３１に連結され、ヒンジ部３５を支点として開閉する。操作部３３には、蓋３４より上の部分、蓋３４の表面、及び蓋３４によって覆われる部分の３箇所に、各種操作ボタンやインジケーターランプが分散して配置される。蓋３４より上の部分と蓋３４の表面には日常多用する操作ボタンが並び、蓋３４によって覆われる部分には使用頻度の低い操作ボタンが並ぶ。以下、どの箇所に何が配置されているかにつき、概要を説明する。
【００２９】
蓋３４より上の部分には、表示部３２の下の箇所に、「自動」「冷房」「暖房」「除湿」という４通りの運転態様を選択するための４個の操作ボタンと、運転を停止させる停止ボタンが配置されている。
【００３０】
蓋３４の表面には、湿度上下ボタンと温度上下ボタンが左右横並びで配置されている。湿度上下ボタンも温度上下ボタンもシーソーボタンであり、上部（表面に上向きの山形記号が付されている箇所）または下部（表面に下向きの山形記号が付されている箇所）を押すことにより、設定湿度または設定温度を変えることができる。上部を押せば設定湿度または設定温度が上昇し、下部を押せば設定湿度または設定温度が下降する。
【００３１】
蓋３４の表面には、湿度上下ボタンと温度上下ボタンの他、イオン発生装置２０を稼働させたり停止させたりするための操作ボタンと、「お知らせ」「換気」「人集中」などの操作ボタンが配置されている。
【００３２】
蓋３４で覆われる箇所には、図４に示す通り、「風量」「上下風向」「左右風向」「警告」「生活除湿」「内部清浄」「入タイマー」「切タイマー」「すすむ」「もどる」「予約」「リセット」「表示」「感度」「時計」の操作ボタンが配置されている。
【００３３】
リモコン３０の操作ボタンを押すことにより、室内機１を各種態様で運転することができる。リモコン３０は室内機１から情報を受信して表示部３２に表示する。
【００３４】
図２には、部屋４０の中の物干しスタンド４１に衣類４２が吊り下げられ、その衣類４２を室内機１で乾燥させる状況が描かれている。以下、衣類乾燥がどのように進められるかを、図４及び図５を参照しつつ説明する。
【００３５】
まず、衣類乾燥モードを選択する必要がある。操作部３３の蓋３４を開き、「生活除湿」ボタン３６を何回か押すと、表示部３２に「衣類乾燥モード」の表示が現れ、衣類乾燥モードでの運転が開始される。
【００３６】
使用者は、風が衣類４２に当たるように、吹出口１４からの空気吹出方向を下方に偏らせる必要がある。「上下風向」ボタン３７により、上下ルーバー１８を斜め下向きの適切な角度にする操作を行う。
【００３７】
本明細書において、「空気吹出方向を下方に偏らせる」とは、上下ルーバー１８をそのスイング可能範囲の中で下寄りの位置に置き、吹出口１４から吹き出される空気が斜め下方向に誘導されるようにすることを言う。「空気吹出方向を上方に偏らせる」とは、上下ルーバー１８をそのスイング可能範囲の中で上寄りの位置に置き、吹出口１４から吹き出される空気がより水平に近い角度へと誘導されるようにすることを言う。空気吹出方向を下方に偏らせる場合でも上方に偏らせる場合でも、上下ルーバー１８は一定の角度で静止していてもよく、狭い角度範囲でスイングしていてもよい。
【００３８】
空気調和機を衣類乾燥モードで運転するとき、制御部２１がどのように制御を行うかを図５のフローチャートに基づき説明する。なお、以下の説明に登場する湿度や時間などの具体的な数値は単なる例示であり、発明を限定するものではない。
【００３９】
制御部２１は、ステップ＃１０１で、上下ルーバー１８の動作があったかどうか、すなわち使用者が上下ルーバー１８の角度を斜め下向きに変えたかどうかを確認する。確認は上下ルーバー１８の操作履歴をチェックすることにより簡単に行える。判定がＮＯであればステップ＃１０２に進み、判定がＹＥＳであればステップ＃１１２に進む。
【００４０】
ステップ＃１０２において、制御部２１は空気調和機に送風運転を行わせる。この時は「強風」で送風機１２を駆動するのがよい。通常の「強風」よりもさらに高い回転数で送風機１２を運転することとしてもよい。また制御部２１は室内湿度を監視する。
【００４１】
水分を含む衣類４２に風が当たると、通常の場合、部屋４０の内部の湿度が上昇する。ステップ＃１０３では、制御部２１は湿度センサー１９の出力信号をチェックし、送風運転開始後所定時間（特許請求の範囲の「第２所定時間」であるＴ２。例えば１時間）内に、室内湿度が所定湿度（特許請求の範囲の「第３所定湿度」であるＷ３）に達したことを湿度センサー１９が検知したか、どうかを調べる。調べた結果、判定がＹＥＳであれば、上下ルーバーの角度が最初から下向きであったと判定してステップ＃１０４に進む。判定がＮＯであれば、上下ルーバー１８の角度が上向きであると判定し、ステップ＃１０７に進む。
【００４２】
ステップ＃１０３における所定湿度に限らず、所定湿度は、湿度の絶対値を設定することもできるし、送風運転開始時などの基準時の湿度の値から何％上昇あるいは下降したかという、湿度の差分として設定することもできる。前記Ｗ３は、例えば＋５％などと設定できる。
【００４３】
ステップ＃１０７に進んだ場合は、制御部２１は、使用者の操作を待つことなく上下ルーバー１８を制御し、角度を斜め下向きに変更する。これにより、吹出口１４からの空気吹出方向を下方に偏らせる。この時の上下ルーバー１８の角度は、例えば水平から３０°下向きなどと初期設定しておくことができる。初期設定の数値は任意であり、使用者が数値を設定するようにすることもできる。上下ルーバー１８の角度を変えた後、ステップ＃１０４に進む。
【００４４】
ステップ＃１０４に進んだ場合は、制御部２１は湿度センサー１９の出力をチェックし、室内湿度がステップ＃１０３の所定湿度よりも高い所定湿度（特許請求の範囲の「第１所定湿度」であるＷ１。例えば９５％）に達したことを湿度センサー１９が検知したか、どうかを調べる。調べた結果、判定がＹＥＳであればステップ＃１０８に進み、判定がＮＯであればステップ＃１０５に進む。
【００４５】
ステップ＃１０８に進んだ場合は、制御部２１は、部屋４０が密閉状態にあるものと判断する。そしてステップ＃１０９に進む。
【００４６】
ステップ＃１０９に進んだ場合は、制御部２１は上下ルーバー１８の角度を変更し、吹出口１４からの空気吹出方向を上方に偏らせる。これにより、吹き出した空気が衣類４２に直接当たらないようにする。そして送風運転を除湿運転に切り替える。このようにするのは、室内湿度が高くなった場合、風を衣類４２に当て続けても衣類４２からの水分の蒸発量が抑えられてしまうからである。送風が「強風」あるいはそれを上回る「超強風」であってもこの事情は変わらない。
【００４７】
ステップ＃１０９で除湿運転に移行した後は、通常の除湿運転と同様に、送風機１２の回転数を抑制する。空気吹出方向を上方に偏らせておくのは、風が当たりすぎることにより衣類４２が冷えてしまい、乾燥率が落ちるのを避けるためである。
【００４８】
ステップ＃１０９からステップ＃１１０に進む。ステップ＃１１０では、制御部２１は湿度センサー１９の出力信号をチェックし、室内湿度が所定湿度（特許請求の範囲の「第２所定湿度」であるＷ２。例えば４５％）まで下がったことを湿度センサー１９が検知したか、どうかを調べる。調べた結果、判定がＹＥＳであればステップ＃１１１に進む。
【００４９】
ステップ＃１１１で制御部２１は、室内湿度がＷ２以下になった後も、所定時間（特許請求の範囲の「第１所定時間」であるＴ１。例えば４０分間）除湿運転を継続させる。Ｔ１が経過したら衣類乾燥モードでの運転を終了する。
【００５０】
ステップ＃１０４からステップ＃１０５に進み、所定時間（例えば１時間）以内に室内湿度がＷ１まで上昇しなかったときは、ステップ＃１０６に進む。
【００５１】
所定時間以内に室内湿度がＷ１まで上昇しないという状況は、部屋４０が閉め切られていない、すなわち開放状態にある、と推察される。熱帯地域や亜熱帯地域では、部屋を仕切るドアがなかったり、屋根と壁の間に隙間が空いていたりする建造物が多く、密閉状態にできないことがしばしばある。制御部２１は部屋４０が開放状態にあるとの判断を下し、ステップ＃１１８に進む。
【００５２】
ステップ＃１１８では、制御部２１は、ステップ＃１０２での送風運転を所定時間（特許請求の範囲の「第３所定時間」であるＴ３。例えば３０分間）継続させる。その後ステップ＃１１９に進む。
【００５３】
ステップ＃１１９に進んだ場合は、ステップ＃１０９と同様、制御部２１は上下ルーバー１８の角度を変更し、吹出口１４からの空気吹出方向を上方に偏らせる。そして送風運転を除湿運転に切り替える。
【００５４】
ステップ＃１１９からステップ＃１２０に進む。ステップ＃１２０では、制御部２１は湿度センサー１９の出力信号をチェックし、室内湿度が所定湿度（特許請求の範囲の「第２所定湿度」であるＷ２。例えば４５％）まで下がったことを湿度センサー１９が検知したか、どうかを調べる。調べた結果、判定がＹＥＳであればステップ＃１１５に進む。判定がＮＯであればステップ１２１に進む。
【００５５】
ステップ＃１１５で制御部２１は、室内湿度がＷ２以下になった後も、所定時間（特許請求の範囲の「第１所定時間」であるＴ１。例えば４０分間）除湿運転を継続させる。Ｔ１が経過したら衣類乾燥モードでの運転を終了する。
【００５６】
ステップ＃１２１に進んだ場合は、今回の衣類乾燥モード運転における除湿運転開始以来の除湿運転累計時間が所定時間（特許請求の範囲の「第４所定時間」であるＴ４。例えば５時間）に達するまで除湿運転を継続し、その後衣類乾燥モードでの運転を終了する。
【００５７】
ステップ＃１０１からステップ１１２に進んだ場合は、ステップ＃１０２と同様、制御部２１は空気調和機に「強風」で送風運転を行わせ、また室内湿度を監視する。そしてステップ＃１１３に進む。
【００５８】
ステップ＃１１３に進んだ場合は、制御部２１は湿度センサー１９の出力をチェックし、室内湿度が所定湿度（特許請求の範囲の「第１所定湿度」であるＷ１。例えば９５％）に達したことを湿度センサー１９が検知したか、どうかを調べる。調べた結果、判定がＹＥＳであればステップ＃１１４に進み、判定がＮＯであればステップ＃１１６に進む。
【００５９】
ステップ＃１１４に進んだ場合は、制御部２１は、部屋４０が密閉状態にあるものと判断する。そしてステップ＃１０９に進む。
【００６０】
ステップ＃１０９からステップ＃１１０に進む。ステップ＃１１０では、制御部２１は湿度センサー１９の出力信号をチェックし、室内湿度が所定湿度（特許請求の範囲の「第２所定湿度」であるＷ２。例えば４５％）まで下がったことを湿度センサー１９が検知したか、どうかを調べる。調べた結果、判定がＹＥＳであればステップ＃１１１に進む。
【００６１】
ステップ＃１１１で制御部２１は、室内湿度がＷ２以下になった後も、所定時間（特許請求の範囲の「第１所定時間」であるＴ１。例えば４０分間）除湿運転を継続させる。Ｔ１が経過したら衣類乾燥モードでの運転を終了する。
【００６２】
ステップ＃１１６に進んだ場合は、所定時間（例えば１時間）以内に室内湿度がＷ１まで上昇しなかったときは、ステップ＃１１７に進む。
【００６３】
ステップ＃１１７では、制御部２１は部屋４０が開放状態にあるとの判断を下し、ステップ＃１１８に進む。
【００６４】
ステップ＃１１８では、制御部２１は、ステップ＃１０２での送風運転を所定時間（特許請求の範囲の「第３所定時間」であるＴ３。例えば３０分間）継続させる。その後ステップ＃１１９に進む。
【００６５】
ステップ＃１１９に進んだ場合は、ステップ＃１０９と同様、制御部２１は上下ルーバー１８の角度を変更し、吹出口１４からの空気吹出方向を上方に偏らせる。そして送風運転を除湿運転に切り替える。
【００６６】
ステップ＃１１９からステップ＃１２０に進む。ステップ＃１２０では、制御部２１は湿度センサー１９の出力信号をチェックし、室内湿度が所定湿度（特許請求の範囲の「第２所定湿度」であるＷ２。例えば４５％）まで下がったことを湿度センサー１９が検知したか、どうかを調べる。調べた結果、判定がＹＥＳであればステップ＃１１５に進む。判定がＮＯであればステップ１２１に進む。
【００６７】
ステップ＃１１５で制御部２１は、室内湿度がＷ２以下になった後も、所定時間（特許請求の範囲の「第１所定時間」であるＴ１。例えば４０分間）除湿運転を継続させる。Ｔ１が経過したら衣類乾燥モードでの運転を終了する。
【００６８】
ステップ＃１２１に進んだ場合は、今回の衣類乾燥モード運転における除湿運転開始以来の除湿運転累計時間が所定時間（特許請求の範囲の「第４所定時間」であるＴ４。例えば５時間）に達するまで除湿運転を継続し、その後衣類乾燥モードでの運転を終了する。
【００６９】
ステップ＃１０６とステップ＃１１７において、部屋４０が開放状態にあるとの判断を制御部２１が下した場合、ステップ＃１１８でなくステップ＃１２１に進むこととしてもよい。
【００７０】
リモコン３０の蓋３４の表面にはイオン発生装置２０の操作ボタン３８が配置されている。操作ボタン３８を押すと、制御部２１はイオン発生装置２０を稼働させ、イオン発生装置２０は通風路１５を流れる気流中に正イオンＨ＋（Ｈ２Ｏ）ｍ（ｍは任意の自然数）と負イオンＯ２-（Ｈ２Ｏ）ｎ（ｎは任意の自然数）を放出する。空気と共に吹出口１４から吹き出された正イオンと負イオンは、それが衣類４２にかかった場合、衣類４２の除菌や消臭などの効果を生じる。
【００７１】
除湿運転時、空気の吹出方向は上方に偏っている。その時イオン発生装置２０にイオンを発生させる場合は、一定のタイミングで上下ルーバー１８の角度が変わり、空気の吹出方向が下方に偏ることとなるように制御部２１の制御プログラムを構成しておくのがよい。このようにすることにより、除湿運転中でも正イオンと負イオンを直接衣類４２に吹き付けることができる。
【００７２】
前述した荷電粒子の一種である、荷電した微細水滴も、除菌効果や消臭効果を有する。荷電した微細水滴を直接衣類に吹き付けるか、あるいは衣類の周囲に漂わせることにより、衣類の除菌や消臭を行うことができる。
【００７３】
以上、本発明の実施形態につき説明したが、本発明の範囲はこれに限定されるものではなく、発明の主旨を逸脱しない範囲で種々の変更を加えて実施することができる。
【産業上の利用可能性】
【００７４】
本発明は空気調和機に広く利用可能である。
【符号の説明】
【００７５】
１    室内機
１１  熱交換器
１２  送風機
１７  左右ルーバー
１８  上下ルーバー
１９  湿度センサー
２０  イオン発生装置
２１  制御部
【図１】
0005743741.tif 000002
【図２】
0005743741.tif 000003
【図３】
0005743741.tif 000004
【図４】
0005743741.tif 000005
【図５】
0005743741.tif 000006